(57)【特許請求の範囲】
【請求項１】
Ｘ線を受けてそのエネルギーを温度変化として検出し電流信号として出力する超伝導転移端センサを有するセンサ回路部と、
該センサ回路部に定電圧を印加してバイアス電流を流すバイアス電流源と、
前記超伝導転移端センサに流れる電流を検出する電流検出機構と、
該電流検出機構に接続され検出された電流に基づいて波高値を測定する波高分析器と、
前記電流検出機構に接続され前記バイアス電流によって前記超伝導転移端センサに流れるベースライン電流を検出するベースラインモニター機構と、
該ベースラインモニター機構で検出した前記ベースライン電流が既定値からずれて変動している場合にその変動幅に応じて前記電流検出機構で検出した電流又は前記波高分析器で測定した波高値を補正する感度補正演算部と、を備えていることを特徴とするＸ線分析装置。
【請求項２】
請求項１に記載のＸ線分析装置において、
前記感度補正演算部が、予め前記ベースライン電流が既定値の際に測定された前記波高値をＰｈ１とすると共に前記ベースライン電流が変動している際に測定された前記波高値をＰｈ２としたとき、補正係数をＰｈ１／Ｐｈ２に設定し、
Ｘ線の検出時において、前記電流検出機構で検出した電流又は前記波高分析器で測定した波高値に前記補正係数を掛けて補正することを特徴とするＸ線分析装置。
【請求項３】
請求項１又は２に記載のＸ線分析装置において、
前記ベースラインモニター機構による前記ベースライン電流のサンプリング周波数が、５０Ｈｚ以下に設定されていることを特徴とするＸ線分析装置。
【請求項４】
請求項１から３のいずれか一項に記載のＸ線分析装置において、
前記感度補正演算部が、前記ベースラインモニター機構で複数回検出した前記ベースライン電流の平均値に基づいて前記補正を行うことを特徴とするＸ線分析装置。
【発明の詳細な説明】
【技術分野】
【０００１】
本発明は、電子顕微鏡や蛍光Ｘ線分析装置等に用いられ、発生したＸ線のエネルギーを弁別することにより発生源の元素種を特定するためのＸ線分析装置であって、特にＸ線のエネルギーを熱エネルギーに変換する超伝導転移端センサをＸ線検出器として使用したＸ線分析装置に関する。
【背景技術】
【０００２】
Ｘ線のエネルギーを弁別することが可能なＸ線分析装置として、エネルギー分散型Ｘ線検出器（Ｅｎｅｒｇｙ  Ｄｉｓｐｅｒｓｉｖｅ  Ｓｐｅｃｔｒｏｓｃｏｐｙ、以後ＥＤＳと呼ぶ）やＷＤＳ（Ｗａｖｅｌｅｎｇｔｈ  Ｄｉｓｐｅｒｓｉｖｅ  Ｓｐｅｃｔｒｏｓｃｏｐｙ、以後ＷＤＳと呼ぶ）がある。
上記ＥＤＳは、検出器に取り込まれたＸ線のエネルギーを検出器内で電気信号に変換し、その電気信号の大きさによってエネルギーを算出するタイプのＸ線検出器である。また、上記ＷＤＳはＸ線を分光器で単色化し（エネルギー弁別）、単色化されたＸ線を比例計数管で検出するタイプのＸ線検出器である。
【０００３】
ＥＤＳとしては、ＳｉＬｉ（シリコンリチウム）型検出器などの半導体検出器が知られている。この半導体検出器を用いることで、０〜２０ｋｅＶ程度の広範囲のエネルギーを検出できるが、エネルギー分解能は１３０ｅＶ程度と狭く、ＷＤＳと比較して１０倍以上劣る点がある。
【０００４】
このようにＸ線検出器の性能を示す指標として、エネルギー分解能がある。例えば、エネルギー分解能が１３０ｅＶの場合、Ｘ線検出器にＸ線が照射されると、１３０ｅＶ程度の不確かさで検出が可能であることを意味する。ここで、高エネルギー分解能とは、この不確かさを小さくすることを意味する。例えば、特性Ｘ線が隣接する２本のスペクトルの場合を考える。エネルギー分解能が小さくなると不確かさが小さくなり、２本の隣接するピークが例えば２０ｅＶ程度の場合、原理的に２０ｅＶ〜３０ｅＶのエネルギー分解能で２本のピークを分離することができる。
【０００５】
近年、エネルギー分散型でかつＷＤＳと同等のエネルギー分解能を有する超伝導Ｘ線検出器が注目されている。この超伝導Ｘ線検出器の中で超伝導転移端センサ（Ｔｒａｎｓｉｔｉｏｎ  Ｅｄｇｅ  Ｓｅｎｓｏｒ、以後ＴＥＳと呼ぶ）と呼ばれる検出器は、金属薄膜の超伝導−常伝導遷移時の急激な抵抗変化（ΔＴ〜数ｍＫにてΔＲ〜０．１Ω）を利用した高感度の温度計である。なお、このＴＥＳは、マイクロカロリーメータとも呼ばれる。
【０００６】
このＴＥＳでは、線源から一次Ｘ線や一次電子線などの放射線をサンプルに照射し、サンプルから発生した蛍光Ｘ線や特性Ｘ線を入射させることで、ＴＥＳ内の温度が可変して、それを制御することでサンプルの分析をするものである。現在では、ＴＥＳのエネルギー分解能は、例えば５．９ｋｅＶの特性Ｘ線において１０ｅＶ以下のエネルギー分解能を得ることができる。
【０００７】
なお、ＴＥＳを電子発生源としてサーマル型（タングステンフィラメント型など）の走査電子顕微鏡に取り付けたとき、電子線が照射されたサンプルから発生する特性Ｘ線を取得した結果、半導体型Ｘ線検出器では分離不可能な特性Ｘ線（Ｓｉ−Ｋａ、Ｗ−Ｍａ，ｂ）をＴＥＳは容易に分離することが可能である。
【０００８】
この超伝導Ｘ線検出器を採用したＸ線分析装置では、ＴＥＳの極微小な電流変化を読み出すためにＳＱＵＩＤアンプ（Ｓｕｐｅｒｃｏｎｄｕｃｔｉｎｇ  Ｑｕａｎｔｕｍ  Ｉｎｔｅｒｆｅｒｅｎｃｅ  Ｄｅｖｉｃｅ（超伝導量子干渉素子型）アンプ）が用いられている。そして、ＴＥＳの高エネルギー分解能を実現させるためには、このＳＱＵＩＤアンプに流れる電流を一定にすることが重要である。この点について、以下に詳述する。
【０００９】
ＴＥＳでは、超伝導体が有する超伝導転移を利用しており、常伝導と超伝導の中間状態に動作点は保持される。このため、Ｘ線１個がＴＥＳに吸収された場合、超伝導転移中に動作点を保持された状態において、例えば１００ｍＫの温度変動に対して数ｍＷの抵抗変化が得られ、マイクロアンペアオーダーのＸ線パルスを得ることができる。
【００１０】
予めパルス波高値とＸ線のエネルギーとの関係を求めておくことにより、未知エネルギーを有するＸ線がＴＥＳに照射されてもパルス波高値から入射したＸ線のエネルギーを検出することができる。
ＴＥＳを超伝導転移中の動作点に保持させるために、ＴＥＳの動作点はＴＥＳに流れる電流（以下、ＴＥＳ電流と称す）とＴＥＳ内に設けられた熱槽への熱リンクとの熱バランスにより決定される。ＴＥＳのエネルギー分解能は温度の関数であるため、可能な限り温度を低くした方がよい。一般的に熱槽温度は５０ｍＫ〜４００ｍＫ程度である。ＴＥＳ電流Ｉｔは、以下の式（１）で決定される。
【００１１】
【数１】
0005146745.tif 000002
【００１２】
ここで、ＲｔはＴＥＳの動作抵抗、ＧはＴＥＳ内に設けられた温度計と熱槽とを熱的に接続させるための熱リンクの熱伝導度、Ｔは温度計の温度、Ｔｂは熱槽の温度である。
さらに、ＴＥＳ電流Ｉｔとパルス波高値との関係は、以下の式（２）で与えられる。理想的にはＴＥＳ電流が一定であれば、常に一定のパルス波高値ΔＩが得られる。
【００１３】
【数２】
0005146745.tif 000003
【００１４】
ここで、αはＴＥＳの感度、Ｃは熱容量、Ｅは照射されるＸ線のエネルギーである。
この式（２）からわかるようにＴＥＳ電流が変化すると、同じエネルギーのＸ線がＴＥＳに照射されてもパルス波高値が異なる。
【００１５】
次に、ＴＥＳに加えるバイアス電流を２８０ｍＡ〜３２０ｍＡまで変化させたときのパルス波高値に対するフィルター後の出力値とＳＱＵＩＤアンプに流れる電流（ＴＥＳ電流Ｉｔと同じ）との関係を、図７に示す。この図のように、上記式（２）に従ってパルス波高値の増加と共にＴＥＳ電流が大きくなる（右軸）。パルス波高値としては、例えばバンドフィルターとコンボリューションさせた数値（以後、数値１と呼ぶ）がパーソナルコンピュータに出力される。
【００１６】
この際、パーソナルコンピュータのディスプレイにおけるスペクトル表示画面は、横軸：数値１、縦軸：カウントで表示される。例えば、数値１が１００のとき、１００の箇所に１個カウントされる。これを繰り返して、Ｘ線スペクトルが形成される。
これは、同じエネルギーにも関わらずフィルター後の出力値が変化すると、数値１がばらつくことを意味する。このばらつき度合いが上述したエネルギー分解能に相当する。すなわち、高エネルギー分解能を実現させるためには、同じエネルギーに対して数値１のばらつきが小さくなるようにしなくてはならない。
【００１７】
上記数値１のばらつきは、パルス波高値のばらつき、すなわちＳＱＵＩＤアンプに流れる電流変化に起因する。すなわち、高エネルギー分解能を実現させるためには、上述したように、ＳＱＵＩＤアンプに流れる電流を一定にすることが重要である。
このＳＱＵＩＤアンプの出力を一定にする方法として、例えば、従来、特許文献１に記載の技術がある。この技術では、ＴＥＳ電流がＴＥＳの動作抵抗に依存するため、ＴＥＳの抵抗値を回復させるための回復機構として熱付加装置が設けられており、ＴＥＳの動作抵抗に変化が生じた場合、抵抗値を回復させ、常にパルス波高値を一定にして高エネルギー分解能を実現させるものである。すなわち、ＴＥＳは一定電圧で駆動されているためＴＥＳの抵抗値を一定に保ことは、ＳＱＵＩＤに流れる電流を一定に保つことと同じ意味である。
【００１８】
【特許文献１】特開２００８−１４７７５号公報
【発明の開示】
【発明が解決しようとする課題】
【００１９】
上記従来の技術には、以下の課題が残されている。
上記従来のＸ線分析装置では、常にエネルギーが既知なＸ線をモニターしておき、その波高値の変化からＴＥＳ抵抗を回復させている。しかしながら、一定のＸ線を常にＴＥＳに照射させておけばよいが、次のような不都合がある。例えば、Ｘ線励起源に電子線を使い電子線をサンプルに照射させ、そこから発生する特性Ｘ線を使って組成分析を行う場合、電子線の照射場所によって特性Ｘ線のエネルギーが異なると、モニターする特性Ｘ線を照射場所毎に調整する必要がある。例えば、分析時間が３０ｓｅｃで多点の分析を行う場合、各場所で３０ｓｅｃ調整時間がかかると分析のスルーレートが半分となってしまう。この点を回避するためにＸ線源を設けておき、一定のエネルギーのＸ線を照射させることも可能であるが、システム内に空間的に配置するスペースが必要であると共に、Ｘ線源から常にＸ線源が有する固有のＸ線が検出されるため、Ｘ線源と同じエネルギーのＸ線を正確に分析できない不都合があった。
【００２０】
本発明は、前述の課題に鑑みてなされたもので、既知なＸ線をモニターする必要が無く、高エネルギー分解能を得ることができるＸ線分析装置を提供することを目的とする。
【課題を解決するための手段】
【００２１】
本発明は、前記課題を解決するために以下の構成を採用した。すなわち、本発明のＸ線分析装置は、Ｘ線を受けてそのエネルギーを温度変化として検出し電流信号として出力する超伝導転移端センサを有するセンサ回路部と、該センサ回路部に定電圧を印加してバイアス電流を流すバイアス電流源と、前記超伝導転移端センサに流れる電流を検出する電流検出機構と、該電流検出機構に接続され検出された電流に基づいて波高値を測定する波高分析器と、前記電流検出機構に接続され前記バイアス電流によって前記超伝導転移端センサに流れるベースライン電流を検出するベースラインモニター機構と、該ベースラインモニター機構で検出した前記ベースライン電流が既定値からずれて変動している場合にその変動幅に応じて前記電流検出機構で検出した電流又は前記波高分析器で測定した波高値を補正する感度補正演算部と、を備えていることを特徴とする。
【００２２】
このＸ線分析装置では、感度補正演算部が、ベースラインモニター機構で検出したベースライン電流が既定値からずれて変動している場合にその変動幅に応じて電流検出機構で検出した電流（ＴＥＳ電流）又は波高分析器で測定した波高値を補正するので、感度補正によってＴＥＳ電流又は波高値出力が補正され、常に同じエネルギーの特性Ｘ線に対して一定のパルス波高値を得ることができ、長期に安定して高いエネルギー分解能を得ることができる。
【００２３】
また、本発明のＸ線分析装置は、前記感度補正演算部が、予め前記ベースライン電流が既定値の際に測定された前記波高値をＰｈ１とすると共に前記ベースライン電流が変動している際に測定された前記波高値をＰｈ２としたとき、補正係数をＰｈ１／Ｐｈ２に設定し、Ｘ線の検出時において、前記電流検出機構で検出した電流又は前記波高分析器で測定した波高値に前記補正係数を掛けて補正することを特徴とする。すなわち、このＸ線分析装置では、Ｘ線の検出時において、ＴＥＳ電流又は測定した波高値に上記補正係数を掛けて補正するので、常にベースライン電流の変動に応じた補正を簡易な演算処理で行うことができる。
【００２４】
また、本発明のＸ線分析装置は、前記ベースラインモニター機構による前記ベースライン電流のサンプリング周波数が、５０Ｈｚ以下に設定されていることが好ましい。すなわち、このＸ線分析装置では、ベースライン電流の変動がＴＥＳの応答周波数（１００Ｈｚ以上）より遅いため、ベースラインモニター機構によるベースライン電流のサンプリング周波数（検出周波数）を電源商用周波数５０Ｈｚ以下に設定することで、ベースライン電流の時間的変化に対応したサンプリング周波数で効率的に調整が可能になる。
【００２５】
また、本発明のＸ線分析装置は、前記感度補正演算部が、前記ベースラインモニター機構で複数回検出した前記ベースライン電流の平均値に基づいて前記補正を行うことを特徴とする。すなわち、このＸ線分析装置では、感度補正演算部が、ベースラインモニター機構で複数回検出したベースライン電流の平均値に基づいて補正を行うので、統計的なゆらぎをもっているサンプリングされたＴＥＳ電流を平均化し、信頼性の高い補正が可能になる。
【発明の効果】
【００２６】
本発明によれば、以下の効果を奏する。
すなわち、本発明に係るＸ線分析装置によれば、感度補正演算部が、ベースラインモニター機構で検出したベースライン電流が既定値からずれて変動している場合にその変動幅に応じて電流検出機構で検出した電流（ＴＥＳ電流）又は波高分析器で測定した波高値を補正するので、感度補正によってＴＥＳ電流又は波高値出力が補正され、常に同じエネルギーの特性Ｘ線に対して一定のパルス波高値を得ることができ、長期に安定して高いエネルギー分解能を得ることができる。したがって、既知のＸ線をモニターする必要が無く、高いエネルギー分解能を長時間にわたり安定して得ることができる。
【発明を実施するための最良の形態】
【００２７】
以下、本発明に係るＸ線分析装置の一実施形態を、図１から図５を参照しながら説明する。
【００２８】
本実施形態のＸ線分析装置は、例えば電子顕微鏡、イオン顕微鏡、Ｘ線顕微鏡、蛍光Ｘ線分析装置等の組成分析装置として利用可能な装置であって、図１に示すように、Ｘ線を受けてそのエネルギーを温度変化として検出し電流信号として出力するＴＥＳ（超伝導転移端センサ）１を有するセンサ回路部２と、該センサ回路部２に定電圧を印加してバイアス電流を流すバイアス電流源３と、ＴＥＳ１に流れる電流を検出する電流検出機構４と、電流検出機構４に感度補正演算部７を介して接続され検出された電流に基づいて波高値を測定する波高分析器５と、該電流検出機構４に接続されバイアス電流によってＴＥＳ１に流れるベースライン電流（Ｘ線の入力がない場合の電流）を検出するベースラインモニター機構６と、該ベースラインモニター機構６で検出したベースライン電流が既定値からずれて変動している場合にその変動幅に応じて電流検出機構４で検出した電流を補正する感度補正演算部７と、を備えている。
【００２９】
上記センサ回路部２は、ＴＥＳ１よりも小さい抵抗値でありＴＥＳ１と並列に接続されたシャント抵抗８と、ＴＥＳ１に直列に接続されたインプット（入力）コイル９と、を備えている。
上記ＴＥＳ１、シャント抵抗８及びＳＱＵＩＤアンプ１０は、図２に示すように、冷凍機により５０ｍＫ〜４００ｍＫまで冷却されるコールドヘッド１１の先端に設けられている。なお、ＴＥＳ１及びＳＱＵＩＤアンプ１０は、超伝導配線１２で接続されている。別の例としては、図３に示すように、ＴＥＳ１を、コールドヘッド１１の先端に設け、ＳＱＵＩＤアンプ１０を９Ｋ以下まで冷却されるコールドブロック１３の先端に設けたものでも構わない。なお、シャント抵抗８は、図２及び図３において図示を省略している。
【００３０】
このセンサ回路部２では、バイアス電流源３からバイアス電流が流されると、シャント抵抗８の抵抗値とＴＥＳ１の抵抗値との抵抗比で電流が分岐される。すなわち、シャント抵抗８に流れる電流とシャント抵抗８の抵抗値で決まる電圧とにより、ＴＥＳ１の電圧値が決定される。
【００３１】
上記電流検出機構４は、インプットコイル９を介してＴＥＳ電流を電気信号として検出する低温初段増幅器であるＳＱＵＩＤアンプ１０と、該ＳＱＵＩＤアンプ１０から出力された電気信号を増幅・整形処理するための室温アンプ１４と、該室温アンプ１４からの出力信号を電圧の波高値に対応して選別する波高分析器５と、を備えている。なお、電流検出機構４として、インプットコイル９を利用したＳＱＵＩＤアンプ１０と室温アンプ１４とを用いているが、ＴＥＳ１に流れる電流の変位を検出可能であれば他の構成を採用しても構わない。
【００３２】
上記室温アンプ１４は、Ｘ線パルス信号とベースライン信号とを出力する機能を有する。
上記波高分析器５は、室温アンプ１４から送られたＸ線パルス信号から電圧パルスの波高を得てエネルギースペクトルを生成するマルチチャンネルパルスハイトアナライザーである。この波高分析器５は、Ｘ線パルスのみモニターし、Ｘ線パルスの波高値を読み取り、縦軸をカウント、横軸を波高値としたヒストグラムのグラフにおいて、その波高値の箇所にカウントを１個追加する。そして、波高分析器５は、複数のＸ線パルスに対して同じ作業を繰り返し、ヒストグラムを作成してディスプレイ装置等に表示する機能を有している。
【００３３】
上記ベースラインモニター機構６は、室温アンプ１４からの出力信号のうち、Ｘ線パルスを含まないベースライン信号のみモニターするものである。このベースラインモニター機構６は、ベースライン電流の変動をモニターしており、感度補正演算部７に対してベースライン電流の変動に応じたバイアス電流の変化量を信号として送る機能を有している。
【００３４】
上記感度補正演算部７は、室温アンプ１４及びベースラインモニター機構６に接続され室温アンプ１４からの出力信号及びベースラインモニター機構６からバイアス電流の変化量の信号を受け取り、室温アンプ１４からの出力信号を後述する演算処理で補正する機能を有している。この感度補正演算部７は、上記演算処理を行うための演算回路及びメモリ等を備えており、例えばパーソナルコンピュータ等のプログラム処理により実現するものや専用のハードウェアで実現されるものである。また、この感度補正演算部７を、ベースラインモニター機構６又は波高分析器５に組み込んで一体化しても構わない。
なお、具体的な演算処理については後述する。
【００３５】
上記ＴＥＳ１は、図４に示すように、Ｘ線を吸収するための金属帯、半金属、超伝導体等の吸収体１５と、該吸収体１５で発生した熱を温度変化として検知する超伝導体からなる温度計１６と、温度計１６とコールドヘッド１１との間を熱的に緩く接続し、熱槽（図示略）に逃げる熱流量を制御するメンブレン１７と、から構成される。例えば、吸収体１５としてアルミニウム、温度計１６としてチタンと金との２層からなる材料、メンブレン１７と熱槽としてはシリコンがそれぞれ採用可能である。
なお、ＴＥＳ１の抵抗値を常伝導と超伝導との中間状態に保持するために、温度計１６で発生するジュール熱はメンブレン１７を通して温度計１６（または吸収体１５）からコールドヘッド１１に流れる熱流との熱的にバランスされる。
【００３６】
ジュール熱とメンブレンを伝わる熱流との熱的なバランスは、式（１）で与えられる。しかし、実際には式（１）でＴＥＳ電流は決まらず、ＴＥＳ１外部からの熱変動によりＴＥＳ電流は影響される。ＴＥＳ１外部からの熱変動をＰｅｘとすると、式（１）は式（３）で書き換えられる。
【００３７】
【数３】
0005146745.tif 000004
【００３８】
ここで、Ｒｓはシャント抵抗８の抵抗値である。
上記式（３）の左辺第１項と右辺とは熱的に釣り合っている。そのため、Ｐｅｘが増加すると、式（３）を満足するように、左辺第２項のδＩｔが減少する。なお、外部からの熱変動の例としては、ＴＥＳ１を冷却するコールドヘッド１１の温度変動、コールドヘッド１１を取り囲む熱シールド１８の温度変動による熱輻射の変動、または冷凍機内に存在する残留ガスを通して熱シールド１８からＴＥＳ１への熱伝導による熱シールド１８の温度変動等がある。
【００３９】
また、コールドヘッド１１の温度変動は、コールドヘッド１１内に設けられたヒータと温度計１６に内蔵されたフィードバック制御であるＰＩＤ制御システムで一定の温度になるように制御される。なお、コールドヘッド１１を取り囲む熱シールド１８は温度制御ができないため、最も温度が下がるように冷却される。さらに、残留ガスを通した熱伝導による温度変動は、冷却前に残留ガスをできるだけ排気することでＰｅｘを小さくするように工夫される。しかし、上記対策を施してもＰｅｘは変動し、式（３）に従いＴＥＳ１に流れる電流が変動する。
【００４０】
このＴＥＳ電流の変動と、Ｘ線パルスの変動との関係を予め求めておけば、ＴＥＳ１に流れる電流の変化をベースラインモニター機構６で監視し、その値に応じて検出したＸ線パルスに対して補正を加えることで、外乱の影響により、同じエネルギーのＸ線が入射したときにパルス波高値が異なる問題を回避することができる。
【００４１】
すなわち、本実施形態では、ＴＥＳ１に流れる電流変化をベースラインモニター機構６が監視しており、上記メカニズムに基づきベースラインモニター機構６から感度補正演算部７に対しバイアス電流の変化量を信号として送信する。さらに、感度補正演算部７は、バイアス電流の変化量に応じて室温アンプ１４からの出力信号を補正し、波高分析器５へ送る。
【００４２】
この際、ベースラインモニター機構６には室温アンプ１４からの信号に対して上限値と下限値が設定できるようになっており、その範囲内に入っている信号をベースラインとして認識する。
【００４３】
例えば、上限値と下限値とを＋１００ｍＶ、−１００ｍＶとした場合、この範囲に入っている室温アンプ１４からの信号は常にベースライン信号として認識される。ベースライン電流の変動は、ＴＥＳ１の応答周波数（１００Ｈｚ以上）より遅いため、ＳＱＵＩＤアンプ１０での電流、すなわちＴＥＳ電流のサンプリング周波数は電源商用周波数５０Ｈｚ以下であることが望ましい。また、サンプリングされたＴＥＳ電流は統計的なゆらぎをもっているため、例えばＮ個のサンプリングデータを平均化し、その平均化されたデータをモニターすることが好ましい。
【００４４】
上記感度補正演算部７は、例えば図７のようなＴＥＳ電流の変動とＸ線パルスの変動との関係や、より精度を上げる目的でＴＥＳ電流の変動とＸ線パルスの変動とＸ線のエネルギーとの関係を、予めデータベースや近似式としてメモリに記憶しており、ベースラインモニター機構６で得られるＴＥＳ電流の変動から感度の適切な補正量（補正係数）を求めるように設定されている。
【００４５】
この感度補正演算部７による補正方法について、図５に示すフローチャートを参照して説明する。
まず、感度補正演算部７において、予め記憶されているデータベース又は近似式から、適正なＴＥＳ電流がＴＥＳ１に流れているときのＸ線パルスの波高値をＰｈ１として求める（ステップＳ１）。
次に、ベースラインモニター機構６が、ＴＥＳ電流の変動を検出する（ステップＳ２）。
【００４６】
さらに、感度補正演算部７は、ベースラインモニター機構６からＴＥＳ電流の変動量を受け、上記データベース又は近似式から、ＴＥＳ電流の変動量に応じたＸ線パルスの波高値をＰｈ２として求める（ステップＳ３）。次に、感度補正演算部７が、感度の補正係数としてＰｈ１／Ｐｈ２を算出する（ステップＳ４）。
そして、感度補正演算部７は、分析時に実際にＸ線が入射されて室温アンプ１４から出力された信号に、上記補正係数を掛けて感度補正する（ステップＳ５）。この補正した信号を波高分析器５に送ることで、波高分析器５で感度補正された波高値を得ることができる。
以上のサイクルを、分析が終了するまで繰り返し行うことで（ステップＳ６）、分析中のパルス波高値の変動を抑え、高エネルギー分解能な分析が実現される。
【００４７】
このように本実施形態のＸ線分析装置では、感度補正演算部７が、ベースラインモニター機構６で検出したベースライン電流が既定値からずれて変動している場合にその変動幅に応じてＴＥＳ電流又は波高分析器５で測定した波高値を補正するので、感度補正によってＴＥＳ電流又は波高値出力が補正され、常に同じエネルギーの特性Ｘ線に対して一定のパルス波高値を得ることができ、長期に安定して高いエネルギー分解能を得ることができる。
【００４８】
また、ベースライン電流の変動がＴＥＳの応答周波数（１００Ｈｚ以上）より遅いため、ベースラインモニター機構６によるベースライン電流のサンプリング周波数（検出周波数）を電源商用周波数５０Ｈｚ以下に設定することで、ベースライン電流の時間的変化に対応したサンプリング周波数で効率的に調整が可能になる。
【００４９】
また、感度補正演算部７が、ベースラインモニター機構６で複数回検出したベースライン電流の平均値に基づいて補正を行うので、統計的なゆらぎをもっているサンプリングされたＴＥＳ電流を平均化して信頼性の高い補正が可能になる。
【００５０】
なお、本発明の技術範囲は上記実施形態に限定されるものではなく、本発明の趣旨を逸脱しない範囲において種々の変更を加えることが可能である。
【００５１】
例えば、上記実施形態では、感度補正演算部７により室温アンプ１４から出力された信号に補正係数を掛けて感度補正しているが、他の例として、図６に示すように、室温アンプ１４と波高分析器５とを直接接続すると共に、波高分析器５からの出力を受けるように感度補正演算部２７を接続して波高値自体を感度補正しても構わない。すなわち、室温アンプ１４からの信号をそのまま波高分析器５に送り、補正前のＴＥＳ電流に基づいて波高分析器５から出力される波高値自体に感度補正演算部２７により上記補正係数を掛け、表示することで、補正された波高値を得ても構わない。
【図面の簡単な説明】
【００５２】
【図１】本発明に係るＸ線分析装置の一実施形態を示す概略的な全体構成図である。
【図２】本実施形態において、ＴＥＳ及びＳＱＵＩＤアンプの実装例を示す要部の概略的な拡大側面図である。
【図３】本実施形態において、ＴＥＳ及びＳＱＵＩＤアンプの他の実装例を示す要部の概略的な拡大側面図である。
【図４】本実施形態において、ＴＥＳの構造を概略的に示す説明図である。
【図５】本実施形態において、感度補正演算部による感度補正方法を示すフローチャートである。
【図６】本実施形態の他の例を示すＸ線分析装置の概略的な全体構成図である。
【図７】本実施形態において、パルス波高値に対するフィルター後の出力値（縦軸：パルス波高値と表示）とＳＱＵＩＤアンプに流れる電流（横軸：ＴＥＳに流れる電流と表示）との関係を示すグラフである。
【符号の説明】
【００５３】
１…ＴＥＳ（超伝導転移端センサ）、２…センサ回路部、３…バイアス電流源、４…電流検出機構、５…波高分析器、６…ベースラインモニター機構、７，２７…感度補正演算部
【図１】
0005146745.tif 000005
【図２】
0005146745.tif 000006
【図３】
0005146745.tif 000007
【図４】
0005146745.tif 000008
【図５】
0005146745.tif 000009
【図６】
0005146745.tif 000010
【図７】
0005146745.tif 000011